(57)【要約】左右側壁４ａ，４ｂと、該左右側壁４ａ，４ｂの後端に連続する後壁５と、左右側壁４ａ，４ｂの下端より上方の位置において左右側壁４ａ，４ｂの間に設けられ、後壁５から前側に向かって斜め上方に傾斜する傾斜面９を有する底板６とからなり、底板６の傾斜面９に錠剤ブリスターパック３０を載置して収納する錠剤ケース１において、底板６より下方に位置する側壁４ａ，４ｂと底板６とで形成される空間に、前側に引き出し可能な引出し３を設ける。また、左右側壁４ａ，４ｂの内側に少なくとも１対の対向する縦溝２２を設け、縦溝２２に係合し底板６の傾斜面９上のスペースを前後に区分する可動壁２１を設ける。
2004078095.tif 000002
【特許請求の範囲】
【請求項１】
左右側壁と、該左右側壁の後端に連続する後壁と、前記左右側壁の下端より上方の位置において前記左右側壁の間に設けられ、前記後壁から前側に向かって斜め上方に傾斜する傾斜面を有する底板とからなり、前記底板の傾斜面に錠剤ブリスターパックを載置して収納する錠剤ケースにおいて、前記底板より下方に位置する側壁と前記底板とで形成される空間に、前側に引き出し可能な引出しを設けたことを特徴とする錠剤ケース。
【請求項２】
前記左右の側壁の下端に、前記引出しを下方から支持するガイドを設けたことを特徴とする請求項１に記載の錠剤ケース。
【請求項３】
前記引出しを前記錠剤ケースに収納したときに、前記引出しの内部を前記底板の前端より前側に位置する第１収納部と、前記底板の下方に位置する第２収納部とに仕切る仕切板を設けたことを特徴とする請求項１または２に記載の錠剤ケース。
【請求項４】
前記引出しの両側壁に突起を設け、前記底板より下方に位置する側壁に前記引出しの突起が係合する長孔を前記引出しの引き出し方向に沿って設けたことを特徴とする請求項１から３のいずれかに記載の錠剤ケース。
【請求項５】
前記長孔は、前記底板と平行に傾斜した後孔部と、該後孔部の前端から前方に水平に延びる前孔部とからなる、屈折した長孔であることを特徴とする請求項４に記載の錠剤ケース。
【請求項６】
前記左右側壁または前記底板に係止部を設け、前記引出しに該引出しを閉めた状態で前記係止部が係止する被係止部を設けたことを特徴とする請求項１から５のいずれかに記載の錠剤ケース。
【請求項７】
前記左右側壁は、後半部と、該後半部のおよそ半分以下の高さの前半部と、該前半部と前記後半部の間の段差部とからなり、前記段差部は、前記底板の前端から当該底板の全長の１／３から１／２の間に位置することを特徴とする請求項１から６のいずれかに記載の錠剤ケース。
【請求項８】
前記左右側壁の内側に少なくとも１対の対向する縦溝を設け、該縦溝に係合し前記底板の傾斜面上のスペースを前後に区分する可動壁を備えることを特徴とする請求項１から７のいずれかに記載の錠剤ケース。
【発明の詳細な説明】
【技術分野】  本発明は、錠剤ブリスターパックを載置して収納するための錠剤ケースに関する。
【背景技術】  従来、病院や薬局では、図１５に示すように、複数段の棚３１に多数の錠剤ケース３２を載置した錠剤台３３が設置されている。錠剤を購入すると、包装箱から錠剤ブリスターパックを取り出して、錠剤ケース３２に種類別に収納している。錠剤ケース３２は、図１６に示すように、左右側壁３４ａ，３４ｂと、該左右側壁３４ａ，３４ｂの後端に連続する後壁３５と、前記左右側壁３４ａ，３４ｂの下端より上方の位置において左右側壁３４ａ，３４ｂの間に設けられた底板３６とからなっている。底板３６は、後壁３５から前側に向かって斜め上方に傾斜する傾斜面３７を有し、該傾斜面３７に錠剤ブリスターパックを載置して収納するとともに、傾斜面３７の前側に設けた１段低い小さな収納部３８に端数の錠剤ブリスターパックを収納するようになっている（例えば、特開平１１−９６６３号公報参照。）。
しかし、従来の錠剤ケース３２は、包装箱に錠剤ブリスターパックとともに収容されている説明書等を保管するスペースがなかった。そこで、端数の錠剤ブリスターパックの収納部３８の下方に説明書を差し込むスペースを設けたものが提案されている（例えば、特開２００１−１０４０６３号公報参照。）が、このスペースは十分でなかった。また、従来の錠剤ケース３２の下に引出しを設けたものも実用化されているが、引出しを設けた分だけ、高さ寸法が大きくなり、錠剤台が大型化していた。
また、従来の錠剤ケース３２は、底板３６の傾斜面３７上に載置する錠剤ブリスターパック３０の全長が底板３６の全長に比べてかなり短かい場合には、錠剤ブリスターパック３０の前端が底板３６の前縁から離れた後方に位置するように載置され、錠剤ブリスターパック３０を取り出すためには狭いスペースに手を差し入れなければならず、錠剤ブリスターパック３０を取り出しにくいという問題があった。さらに、傾斜面３７上に載置する錠剤ブリスターパック３０の幅が底板３６の幅に近い幅広のものである場合、錠剤ブリスターパック３０の横側に指を挿し入れることができないために、前側から摘み上げるしかなく、やはり、錠剤ブリスターパック３０を取り出しにくいという問題があった。
【発明の開示】
本発明は、かかる従来の問題点に鑑みてなされたもので、従来の錠剤ケースの全体形状を変えることなく、錠剤の説明書等を保存するスペースを有する錠剤ケースを提供することを目的とする。また、収納する錠剤を取り出しやすい錠剤ケースを提供することをも目的とする。
前記課題を解決するために、本発明は、左右側壁と、該左右側壁の後端に連続する後壁と、前記左右側壁の下端より上方の位置において前記左右側壁の間に設けられ、前記後壁から前側に向かって斜め上方に傾斜する傾斜面を有する底板とからなり、前記底板の傾斜面に錠剤ブリスターパックを載置して収納する錠剤ケースにおいて、前記底板より下方に位置する側壁と前記底板とで形成される空間に、前側に引き出し可能な引出しを設ける。
本発明では、底板より下方に位置する側壁と底板とで形成される空間に前側に引き出し可能な引出しを設けているので、従来の錠剤ケースの全体形状と変わらない。また、この引出しに錠剤の説明書等を入れておく十分なスペースをとることができる。
前記左右の側壁の下端に、前記引出しを下方から支持するガイドを設ける。これにより、引出しを円滑に引き出すことができ、かつ、錠剤ケースを持ち上げたときの引出しの落下を防止することができる。
前記引出しを前記錠剤ケースに収納したときに、前記引出しの内部を前記底板の前端より前側に位置する第１収納部と、前記底板の下方に位置する第２収納部とに仕切る仕切板を設ける。この第１収納部は、底板より前側に位置していて上方に開放されているので、端数のブリスターパックを容易に収容し、取り出すことができる。第２収納部には、錠剤の説明書等を保管することができる。
前記引出しの両側壁に突起を設け、前記底板より下方に位置する側壁に前記引出しが係合する長孔を前記引出しの引き出し方向に沿って設ける。これにより、引出しが錠剤ケースから外れるのを防止することができる。
前記長孔は、前記底板と平行に傾斜した後孔部と、該後孔部の前端から前方に水平に延びる前孔部とからなる、屈折した長孔とする。これにより、前記引出しを引き出した状態での該引出しの後壁と前記底板との隙間が小さくなり、該隙間への収納物の挟み込みや、引き出し後部への落下を防止できる。
前記左右側壁または前記底板に係止部を設け、前記引出しに該引出しを閉めた状態で前記係止部に係止される被係止部を設ける。これにより、錠剤ケースを持ち上げたり、錠剤台に載置するときに、引出しが無用に引き出されるのを防止することができる。
前記左右側壁は、後半部と、該後半部のおよそ半分以下の高さの前半部と、該前半部と前記後半部の間の段差部とからなり、前記段差部は、前記底板の前端から当該底板の全長の１／３から１／２の間に位置するものとする。前記左右側壁の前半部の上部が大きく切り取られた形状により、前記底板の傾斜面上に載置された錠剤ブリスターパックが幅広のものであっても、前記錠剤ブリスターパックを左右に指を入れて摘み上げることができる。
前記左右側壁の内側に少なくとも１対の対向する縦溝を設け、該縦溝に係合し前記底板の傾斜面上のスペースを前後に区分する可動壁を備えるものとする。これにより、前記底板の傾斜面上に載置される錠剤ブリスターパックの長さに合わせて前記可動壁を縦溝に係合し、傾斜面上のスペースの奥行きを選択することで、前記ブリスターパックの前端を前記底板の前縁付近に合わせた取り出しやすい位置に載置することができる。
本発明によれば、底板より下方に位置する側壁と底板とで形成される空間に、前側に引き出し可能な引出しを設けたので、従来の錠剤ケースの全体形状を変えることなく、引出しに錠剤の説明書等を入れておく十分なスペースをとることができる。
さらに、前記右側壁の前半部の上部が大きく切り取られた形状とすることで、直近に側壁がない錠剤ブリスターパック前部の横側に指を入れ、前記錠剤ブリスターパックを摘み上げる事ができる。また、可動壁を縦溝に係合し、載置した前記錠剤ブリスターパックの前端が前記底板の前縁付近に合うように、前記傾斜面上のスペースの奥行きを選択することで、錠剤ブリスターパックを取り出しやすくすることができる。
【図面の簡単な説明】  図１は、本発明による第１実施形態である錠剤ケースの引出しを閉じた状態を示す斜視図である。
図２は、図１の錠剤ケースの引出しを引き出した状態を示す斜視図である。
図３は、図１の錠剤ケースのケース本体の平面図である。
図４は、図３のケース本体の断面図である。
図５は、図１の錠剤ケースの引出しの平面図である。
図６は、図５の引出しの断面図である。
図７は、図１の錠剤ケースの引出しを閉じた状態を示す断面図である。
図８は、本発明による第２実施形態である錠剤ケースの引出しを引き出した状態を示す斜視図である。
図９は、図８の錠剤ケースの本体の平面図である。
図１０は、図９のケース本体の断面図である。
図１１は、図８の錠剤ケースの引出しの平面図である。
図１２は、図１１の引出しの断面図である。
図１３は、図８の錠剤ケースの引出しを閉じた状態を示す断面図である。
図１４は、本発明による第３実施形態である錠剤ケース引出しを閉じた状態を示す断面図である。
図１５は、従来の錠剤ケースを載置する錠剤台の斜視図である。
図１６は、従来の錠剤ケースの斜視図である。
【発明を実施するための最良の形態】  以下、本発明の実施の形態を添付図面に従って説明する。
図１は、本発明による第１実施形態である錠剤ケース１を示す。この錠剤ケース１は、透明または遮光性の合成樹脂からなり、従来と同様に、図１５に示すような錠剤台３３に載置され、各種の錠剤ブリスターパック３０を収納するものである。錠剤ケース１は、図２に示すように、ケース本体２と、引出し３とからなっている。
ケース本体２は、図３，図４に示すように、左右側壁４ａ，４ｂと、該左右側壁４ａ，４ｂの後端に連続する後壁５と、左右側壁４ａ，４ｂの下端より上方の位置において左右側壁４ａ，４ｂの間に設けられた底板６とからなっている。左右側壁４ａ，４ｂの下端には、内方に突出し、かつ、前後方向に延びるガイド７が形成され、該ガイド７の上方には、前後方向に延びる長孔８が形成されている。底板６は、後壁５から前側に向かって斜め上方に傾斜する傾斜面９を有している。底板６の前端縁部は、左右側壁４ａ，４ｂの前端までは至らず、途中までになっている。また、底板６の前端縁部の中央にはスロット状の係止孔１０が形成されている。
引出し３は、前記ケース本体２の底板６と該底板６より下方の左右側壁４ａ，４ｂとで形成される空間に引き出し可能に収容されるものである。この引出し３は、図５，図６に示すように、上端が前側に向かって上方に傾斜する左右の側壁１１ａ，１１ｂと、該左右の側壁１１ａ，１１ｂの後端に連続する後壁１２と、左右側壁１１ａ，１１ｂと後壁１２の間に広がる底板１３とからなっている。底板１３の前端部分は、左右側壁１１ａ，１１ｂの上端まで斜め上方に延びる傾斜面１４となっている。傾斜面１４の上端から下方には、錠剤名等を記載するラベルが貼り付けられる前板１５が延設されている。この前板１５と傾斜面１４の間は、引出し３を引き出すときの取手となっている。左右側壁１１ａ，１１ｂ、後壁１２および底板１３で形成される空間は、底板１３に設けた仕切板１６で仕切られて、仕切板１６の前側でかつケース本体２の底板６の前端より前側に位置する第１収納部１７と、仕切板１６の後側でかつケース本体２の底板の下方に位置する第２収納部１８とが形成されている。仕切板１６の上端中央には、前記ケース本体２の底板６の係止孔１０に係合する突片１９が形成されている。前述したように、底板６の前端縁部が左右側壁４ａ，４ｂの途中で終わっており、この前端縁部の係止孔１０と仕切板１６の突片１９が係合することで、第１収納部１７が開き、かつ、第２収納部１８が閉じた状態になる。左右側壁１１ａ，１１ｂの後端近傍には、突起２０が外方に突出するように設けられ、該突起２０は、前記ケース本体２の長孔８に係合するようになっている。
前記構成からなる錠剤ケース１は、図１５に示すような錠剤台３３に多数載置され、それぞれに異なる種類の錠剤ブリスターパック３０が収納される。すなわち、図１に示すように、ケース本体２の底板６の傾斜面９に新しい錠剤ブリスターパック３０が載置して収納され、引出し３の第１収納部１７には、切り離された端数の錠剤ブリスターパック３０ａが収納される。引出し３を引き出すと、図２に示すように、第２収納部１８が現れる。この第２収納部１８には、錠剤の説明書が保管され、必要に応じて、期限管理情報や禁忌情報を記載した紙片等が保管される。引出し３を閉じると、図７に示すように、引出し３の仕切板１６の突片１９がケース本体２の底板６の係止孔１０に係合するので、錠剤ケース１を錠剤台３３から出し入れする際に、引出し３がケース本体２から脱落するのを防止することができる。また、引出し３を完全に引き出すと、引出し３の突起２０がケース本体２の長孔８の前端に当接するので、引出し３が離脱することはない。
ケース本体２の底板６の下方の空間は、傾斜面９を有する底板６を設けるために必然的に形成される空間であり、図１６に示す従来の錠剤ケース３２にも存在している。本発明の引出し３は、このケース本体２の底板６の下方の空間に設けられているので、従来の錠剤ケース３２の全体形状と変わらない。特に、錠剤ケース１の高さを同じにしたまま、引出し３を設けることができる。したがって、従来と同様の錠剤台３３に、従来と同数の錠剤ケース１を設置することができる。底板６に錠剤ブリスターパック３０を収納し、引出し３の第１収納部１７に端数の錠剤ブリスターパック３０ａを収納できるという機能に加え、引出し３の第２収納部１８に錠剤の説明書等を保管できるという新たな機能を、全体形状を変えずに付加することができる。
図８は、本発明による第２実施形態である錠剤ケース１’を示す。この錠剤ケース１’については、前述の錠剤ケース１と同じ機能を有する部品に同じ番号を符して、その説明を省略し、異なる部分についてのみその機能を説明する。
錠剤ケース１’は、ケース本体２と、引出し３とからなり、さらに可動壁２１を備えている。
図９，図１０に示すように、ケース本体２の左右側壁４ａ，４ｂには、３対の対向する縦溝２２が設けられており、この縦溝２２に可動壁２１が上方から差し込まれるようになっている。左右側壁４ａ，４ｂに設けられた長孔８は、図１０に示すように、底板６と平行に傾斜した後孔部８Ａと該後孔部８Ａの前端から前方に水平に延びる前孔部８Ｂとからなる、屈折した長孔である。また、ガイド７は、第１実施形態よりも短い爪状になっている。左右側壁４ａ，４ｂは、後半部４Ａと、後半部４Ａのおよそ半分以下の高さを有する前半部４Ｂと、前半部４Ｂと後半部４Ａの間の段差部４Ｃとからなっており、段差部４Ｃは、底板６の前端から底板６の全長の約１／３から約１／２の間に位置している。底板６は、収納したブリスターッパック３０が取り出し易いように前縁部がさらに上方に傾斜している。
図１１，図１２に示すように、また、引出し３の底面の両側、側壁１１ａ，１１ｂの前縁付近の下端に係止爪２３が設けられている。また、前板１５は、錠剤名等を記載するラベルが上部から挿入できるようにＵ字型の断面を有し、さらに、前板１５の中央裏側にはラベルを取り出すときにラベルを下側から指で押し出すための切欠き２４が設けられている。
図１３に示すように、引出し３の係止爪２３は、錠剤ケース１’の引出し３を閉じた状態で、ケース本体２のガイド７の奥に位置しており、ガイド７は、引出し３の係止爪２３を係止している。これによって引出し３が望外に引き出されることを防止している。
前記構成からなる錠剤ケース１’は、前述の錠剤ケース１と同様に、図１４に示すような錠剤台３３に多数載置され、それぞれに異なる種類の錠剤ブリスターパック３０が収納される。錠剤台３３から錠剤ケース１’を取り出す際は、傾斜面１４に指をかけて手前に引き出す。そして、前板１５の裏側で傾斜面１４の下のスペースに指を入れて少し持ち上げるようにして手前に引くと、係止爪２３がガイド７から外れて引出し３を開けることができる。底板６の傾斜面９上に載置するブリスターパック３０の全長が底板６の全長に比べて短い場合でも、傾斜面９の有効な奥行きがブリスターパック３０の長さと同じ程度になるように、収納スペースを区分する可動壁２１を挿入する縦溝２２を選択することで、ブリスターパック３０の前端を底板６の前縁近くに揃えた取り出しやすい位置に載置できる。
錠剤ケース１’では、引出し３が、ケース本体２から長孔８の傾斜した後孔部８Ａに沿って底板６と平行に斜め上方に引き出されるため、引出し３を引き出した状態でも、底板６と引出し３の後壁１２の間の隙間が大きくならずに済む。また、長孔８の水平な前孔部８Ｂは、引出し３を後孔部８Ａの方向に傾けないで、水平に保ったままで引き出させ、底板６と後壁１２の間の隙間を小さく保つ効果がある。このために、底板６と後壁１２の間に第２収納部１８に収納すべき説明書等を、誤って挟み込むことや引出し３の後側に転落させてしまうことを防止できる。
また、引出し３を押し込んで閉める際に、引出し３の係止爪２３は、左右側壁２ａ，２ｂの爪状のガイド７を乗り越え、引出し３が閉められた状態で、ガイド７の後端に係止される。これによって、引出し３を引き出すためには、引出し３の前部を持ち上げつつ手前に引き出す必要があり、錠剤ケース１’を錠剤台３３から出し入れする際に、引出し３がケース本体２から脱落するのを防止することができる。
左右側壁４ａ，４ｂの前半部４Ｂの上部が大きく切り取られた形状であるため、底板６の傾斜面９上に載置する錠剤ブリスターパック３０の幅が傾斜面９一杯であっても、錠剤ブリスターパック３０の前部の両側直近には左右側壁４ａ，４ｂがなく、この部分に指を入れ、錠剤ブリスターパック３０を摘み上げる事が可能である。もちろん錠剤ブリスターパック３０の前端部の上下に指を入れて摘み上げることもでき、錠剤ケース１’が載置された位置や、作業者の姿勢などによって楽な方法で取り出すことが可能である。
図１４は、本発明による第３実施形態である錠剤ケース１”を示す。第２実施形態との相違点は仕切板１６の形状のみである。本実施形態の仕切板１６は、第２収納部１８の底板から仕切板１６の中央に傾斜して延び、両者を滑らかな曲面で繋ぐ傾斜部１６ａを有している。本実施形態の錠剤ケース１”は、傾斜部１６ａがあるために、第２収納室部１８に収納した錠剤の説明書などが取り出しやすくなっている。
以上の説明から明らかなように、本発明による錠剤ケース１’は、引出し３の第２収納部１８に錠剤の説明書等を保管できるという新たな機能を、全体形状を変えずに付加できるとともに、錠剤ブリスターパック３０の形状にかかわらず取り出しやすく載置することができるようになった。
【図１】
2004078095.tif 000003
【図２】
2004078095.tif 000004
【図３】
2004078095.tif 000005
【図４】
2004078095.tif 000006
【図５】
2004078095.tif 000007
【図６】
2004078095.tif 000008
【図７】
2004078095.tif 000009
【図８】
2004078095.tif 000010
【図９】
2004078095.tif 000011
【図１０】
2004078095.tif 000012
【図１１】
2004078095.tif 000013
【図１２】
2004078095.tif 000014
【図１３】
2004078095.tif 000015
【図１４】
2004078095.tif 000016
【図１５】
2004078095.tif 000017
【図１６】
2004078095.tif 000018
【国際調査報告】
2004078095.tif 000019
2004078095.tif 000020
2004078095.tif 000021
2004078095.tif 000022